(57)【特許請求の範囲】
【請求項１】
透液性表面シートと、不透液性裏面シートと、それら表裏面シートの間に介在する吸液性コアとから構成され、縦方向に前胴周り域と、後胴周り域と、前記前後胴周り域の間に位置する股下域とを有し、前記表面シートを内側にして前記前後胴周り域の両側縁部が互いに固着され、胴周り開口と左右一対の脚周り開口とが画成されたパンツ型の使い捨ておむつにおいて、
前記股下域の中央を横切る横中心線から前記前胴周り域へ向かう前半部分と前記横中心線から前記後胴周り域へ向かう後半部分とのいずれか一方には、前記前後胴周り域の両側縁部の間の寸法を二分する縦中心線を跨いで前記横方向へ延びる弾性的に伸縮可能な少なくとも一条の止着部材と、前記縦中心線近傍に位置して前記止着部材を掛止可能な掛止部材とが取り付けられ、前記止着部材が、前記おむつに固着された横方向両端部と、前記横方向両端部の間に延びていて前記おむつに非固着状態で前記裏面シートの外側に位置する横方向中央部とを有し、前記止着部材の横方向中央部は、前記おむつが前記縦方向へ丸められたときに、丸められた前記おむつの外周面を囲繞して前記掛止部材に掛止することが可能な弾性伸長性を有することを特徴とする前記おむつ。
【請求項２】
前記止着部材が前記縦方向へ互いに離間、並行して延びる少なくとも二条で形成され、前記止着部材それぞれの横方向中央部の寸法が同一または異なっている請求項１記載のおむつ。
【請求項３】
前記止着部材は、前記止着部材の横方向中央部が前記縦中心線近傍で互いに交差して延びる少なくとも二条で形成されている請求項１記載のおむつ。
【請求項４】
前記止着部材の横方向中央部が、前記コアの両側縁部の間に延びている請求項１ないし請求項３いずれかに記載のおむつ。
【請求項５】
前記止着部材が、前記おむつに非伸長状態で取り付けられている請求項１ないし請求項４いずれかに記載のおむつ。
【発明の詳細な説明】
【０００１】
【発明の属する技術分野】
本発明は、排泄された体液を吸収、保持するパンツ型の使い捨ておむつに関する。
【０００２】
【従来の技術】
実開平７−３９８１６号公報は、透液性表面シートと不透液性裏面シートとの間に吸液性コアが介在し、前後胴周り域と前後胴周り域の間に位置する股下域とを有し、前後胴周り域に位置するエンドフラップが胴周り開口部を形成するとともに、胴周り開口部の下方に左右一対の脚周り開口部が形成されたパンツ型の使い捨ておむつを開示している。
【０００３】
エンドフラップには、エンドフラップの切り込みからおむつの外側へ引き出し可能な弾性伸縮性部材が取り付けられている。引き出された弾性部材は、輪ゴムとして機能し、丸められたおむつの外周面を囲繞することが可能である。おむつは、その廃棄時におむつの丸められた状態を弾性部材で保持することができる。
【０００４】
【発明が解決しようとする課題】
同号公報に開示のおむつは、おむつの胴周り開口部が外側になるように丸められた場合、弾性部材が位置する縦中心線近傍において、丸められたおむつの胴周り開口部を塞ぐことができるにすぎない。縦中心線近傍からずれた胴周り開口部の両側部分では、弾性部材が位置しないので、丸められたおむつが広がろうとして胴周り開口部が開き、排泄物や臭気が漏れてしまうことがある。
【０００５】
本発明の課題は、排泄物や臭気が漏れることがないように丸めておくことができるパンツ型の使い捨ておむつを提供することにある。
【０００６】
【課題を解決するための手段】
前述した課題を解決するための本発明は、透液性表面シートと、不透液性裏面シートと、それら表裏面シートの間に介在する吸液性コアとから構成され、縦方向に前胴周り域と、後胴周り域と、前記前後胴周り域の間に位置する股下域とを有し、前記表面シートを内側にして前記前後胴周り域の両側縁部が互いに固着され、胴周り開口と左右一対の脚周り開口とが画成されたパンツ型の使い捨ておむつを改良することにある。
【０００７】
改良にかかる本発明の特徴は、前記股下域の中央を横切る横中心線から前記前胴周り域へ向かう前半部分と前記横中心線から前記後胴周り域へ向かう後半部分とのいずれか一方には、前記前後胴周り域の両側縁部の間の寸法を二分する縦中心線を跨いで前記横方向へ延びる弾性的に伸縮可能な少なくとも一条の止着部材と、前記縦中心線近傍に位置して前記止着部材を掛止可能な掛止部材とが取り付けられ、前記止着部材が、前記おむつに固着された横方向両端部と、前記横方向両端部の間に延びていて前記おむつに非固着状態で前記裏面シートの外側に位置する横方向中央部とを有し、前記止着部材の横方向中央部は、前記おむつが前記縦方向へ丸められたときに、丸められた前記おむつの外周面を囲繞して前記掛止部材に掛止することが可能な弾性伸長性を有することにある。
【０００８】
本発明の実施の態様の一例としては、前記止着部材が前記縦方向へ互いに離間、並行して延びる少なくとも二条で形成され、前記止着部材それぞれの横方向中央部の寸法が同一または異なっている。
【０００９】
本発明の実施の態様の他の一例として、前記止着部材は、前記止着部材の横方向中央部が前記縦中心線近傍で互いに交差して延びる少なくとも二条で形成されている。
【００１０】
本発明の実施の態様の他の一例としては、前記止着部材の横方向中央部が、前記コアの両側縁部の間に延びている。
【００１１】
本発明の実施の態様の他の一例としては、前記止着部材が、前記おむつに非伸長状態で取り付けられている。
【００１２】
【発明の実施の形態】
添付の図面を参照して、本発明に係るパンツ型の使い捨ておむつの詳細を説明すると、以下のとおりである。
【００１３】
図１，２は、後胴周り域３２の側から示す使い捨ておむつ１の部分破断斜視図と、図１のＡ−Ａ線矢視断面図とであり、図３は、図１のＢ−Ｂ線矢視断面図である。おむつ１は、透液性表面シート２と、不透液性裏面シート３と、表面シート２と裏面シート３との間に介在し、表面全域がティッシュペーパー４で被覆、接合された吸液性コア５とから構成されている。ティッシュペーパー４は、表面シート２と裏面シート３との少なくとも一方の内面に接合されている。おむつ１は、縦方向に前胴周り域３０と、後胴周り域３２と、前後胴周り域３０，３２の間に位置する股下域３１とを有する。おむつ１は、前後胴周り域３０，３２の両側縁部３０ａ，３２ａが合掌状に重なり合い、容易に剥離することがないように一体化されて胴周り開口部６と、左右一対の脚周り開口部７とを形成している。
【００１４】
胴周り開口部６の周縁部には、複数条の胴周り用弾性伸縮性部材８が表面シート２と裏面シート３との間に介在し、脚周り開口部７の周縁部には、複数条の脚周り用弾性伸縮性部材９が表面シート２と裏面シート３との間に介在している。胴周り用弾性伸縮性部材８と脚周り用弾性伸縮性部材９とは、表面シート２と裏面シート３との少なくとも一方の内面に伸長状態で取り付けられている。
【００１５】
後胴周り域３２には、おむつ１を丸めておくときに使用する一条の止着用弾性伸縮性部材１０（止着部材）と、止着用弾性部材１０を掛止することが可能なフック部材１１（掛止部材）とが取り付けられている。
【００１６】
止着用弾性部材１０は、後胴周り域３２の両側縁部３２ａの間の寸法を二分する縦中心線Ｙを跨いで横方向へ延び、後胴周り域３２の両側縁部３２ａの側に位置する横方向両端部１０ｂと、横方向両端部１０ｂの間に延びていて裏面シート３の外側に位置する横方向中央部１０ａとを有する。止着用弾性部材１０の横方向両端部１０ｂは、裏面シート３とティッシュペーパー４との間に介在し、おむつ１から容易に外れることがないようにティッシュペーパー４に接着剤１３を介して固着されている。止着用弾性部材１０の横方向中央部１０ａは、コア５の両側縁部５ａの間に延びている。
【００１７】
フック部材１１は、止着用弾性部材１０よりも股下域３１の側へ偏倚して位置し、裏面シート３の外面に接着剤１２を介して取り付けられている。フック部材１１は、胴周り開口部６の側に位置する部分がおむつ１の上方へ向かって二股に分かれている。
【００１８】
図４は、廃棄するために丸められた図１のおむつ１の斜視図である。おむつ１は、股下域３１から胴周り開口部６へ向かって、胴周り開口部６が外側となるように縦方向へ丸められている。丸められたおむつ１の外周面には、伸びた止着用弾性部材１０が捲き付けられ、止着用弾性部材１０の横方向中央部１０ａがフック部材１１に掛止されている。
【００１９】
止着用弾性部材１０は、横方向中央部１０ａが丸められたおむつ１の外周面を囲繞してフック部材１１に掛止することができる弾性伸長性を有する。図では、おむつ１の胴周り開口部６がフック部材１１から二条に分かれた止着用弾性部材１０の横方向中央部１０ａによって塞がれている。図において、おむつ１は、丸められた状態が二条の横方向中央部１０ａで保持されている。ゆえに、丸まられた状態が一条の止着用弾性部材で保持されることと比較して、丸められたおむつ１が広がろうとすることを一層拘束することができ、胴周り開口部６が開いてしまうことを防ぐことができる。
【００２０】
止着用弾性部材１０は、横方向中央部１０ａがコア５の両側縁部５ａの間に延びているので、止着用弾性部材１０を引っ張ったときに、横方向中央部１０ａが前後胴周り域３０，３２の両側縁部３０ａ，３２ａから外れてしまうことを防ぐことができる。
【００２１】
止着用弾性部材１０とフック部材１１とは、後胴周り域３２に取り付けられているが、股下域３１の中央を横切る横中心線Ｘから前胴周り域３０へ向かう前半部分１Ａと横中心線Ｘから後胴周り域３２へ向かう後半部分１Ｂとのいずれか一方に取り付けられていればよい。
【００２２】
図５，６は、図１とは異なる態様の後胴周り域３２の側から示すおむつ１の斜視図と、廃棄するために丸められた図５のおむつ１の斜視図とである。おむつ１は、表面シート２と裏面シート３との間にコア５が介在し、前後胴周り域３０，３２と、前後胴周り域３０，３２の間に位置する股下域３１と、胴周り開口部６と、左右一対の脚周り開口部７とを有する点において図１のそれと同一である。
【００２３】
おむつ１の後胴周り域３２には、二条の止着用弾性部材１０，１４と、フック部材１１とが取り付けられている。フック部材１１は、断面Ｌ字状のもので、胴周り開口部６の側に位置する部分と裏面シート３との間に止着用弾性部材１０，１４を掛止する間隙が形成されている。
【００２４】
止着用弾性部材１０，１４それぞれは、縦方向へ互いに離間、並行して位置し、縦中心線Ｙを跨いで横方向へ延びている。止着用弾性部材１０，１４は、後胴周り域３２の両側縁部３２ａの側に位置する横方向両端部１０ｂ，１４ｂと、横方向両端部１０ｂ，１４ｂの間に延びていて裏面シート３の外側に位置する横方向中央部１０ａ，１４ａとを有する。止着用弾性部材１０，１４の横方向両端部１０ｂ，１４ｂは、裏面シート３とティッシュペーパー４との間に介在し、ティッシュペーパー４に接着剤（図示せず）を介して固着されている。止着用弾性部材１０，１４の横方向中央部１０ａ，１４ａは、コア５の両側縁部５ａの間に延び、下方に位置する止着用弾性部材１４の横方向中央部１４ａの寸法が、上方に位置する止着用弾性部材１０の横方向中央部１０ａのそれよりも長いものである。
【００２５】
おむつ１は、図６に示すように、股下域３１から胴周り開口部６へ向かって、胴周り開口部６が外側となるように縦方向へ丸められている。図では、丸められたおむつ１の外周面に、伸びた止着用弾性部材１０，１４それぞれが捲き付けられ、止着用弾性部材１０，１４の横方向中央部１０ａ，１４ａそれぞれがフック部材１１に掛止されている。
【００２６】
おむつ１の胴周り開口部６は、フック部材１１から四条に分かれた止着用弾性部材１０，１４の横方向中央部１０ａ，１４ａによって塞がれている。おむつ１は、丸められた状態が四条の横方向中央部１０ａ，１４ａで保持されているので、丸められたおむつ１が広がろうとすることをより一層拘束することができる。
【００２７】
止着用弾性部材１０，１４それぞれは、縦方向へ離間して延び、それら止着用弾性部材１０，１４の横方向中央部１０ａ，１４ａの寸法が異なるので、止着用弾性部材１０，１４の横方向中央部１０ａ，１４ａをフック部材１１に掛止したときに、止着用弾性部材１０，１４の横方向中央部１０ａ，１４ａが互いに重なり合うことがなく、おむつ１の丸められた状態を四条各々で保持することができる。
【００２８】
図７，８は、図１，５とは異なる態様の後胴周り域３２の側から示すおむつ１の斜視図と、廃棄するために丸められた図７のおむつ１の斜視図とである。おむつ１は、表面シート２と裏面シート３との間にコア５が介在し、前後胴周り域と、前後胴周り域の間に位置する股下域３１と、胴周り開口部６と、左右一対の脚周り開口部とを有する点において図１，５のそれと同一である。
【００２９】
おむつ１の後胴周り域３２には、２条の止着用弾性部材１５，１６と、胴周り開口部６の側に位置する部分がおむつ１の上方へ向かって二股に分かれるフック部材１１とが取り付けられている。
【００３０】
止着用弾性部材１５，１６それぞれは、縦中心線Ｙに対して互いに直交することなく、縦中心線Ｙを跨いで横方向へ斜めに延びている。それら止着用弾性部材１５，１６は、後胴周り域３２の両側縁部３２ａの側に位置する横方向両端部１５ｂ，１６ｂと、横方向両端部１５ｂ，１６ｂの間に延びていて裏面シート３の外側に位置する横方向中央部１５ａ，１６ａとを有し、横方向中央部１５ａ，１６ａが縦中心線Ｙ近傍で交差している。止着用弾性部材１５，１６の横方向両端部１５ｂ，１６ｂは、裏面シート３とティッシュペーパー４との間に介在し、ティッシュペーパー４に接着剤（図示せず）を介して固着されている。止着用弾性部材１５，１６は、横方向中央部１５ａ，１６ａがコア５の両側縁部５ａの間に延び、横方向中央部１５ａ，１６ａの寸法が略同一のものである。
【００３１】
おむつ１は、図８に示すように、股下域３１から胴周り開口部６へ向かって、胴周り開口部６が外側となるように縦方向へ丸められている。図では、丸められたおむつ１の外周面に、伸びた止着用弾性部材１５，１６それぞれが捲き付けられ、横方向中央部１５ａ，１６ａそれぞれがフック部材１１に掛止されている。
【００３２】
止着用弾性部材１５，１６は、フック部材１１から四条に分かれた横方向中央部１５ａ，１６ａが二条づつ重なり合い、おむつ１の胴周り開口部６を塞いでいるので、胴周り開口部６を強固に塞ぐことができる。
【００３３】
表面シート２としては、不織布や開孔プラスチックフィルム等の透液性のシート、好ましくは透液性であって親水性のシートが使用される。裏面シート３としては、疎水性不織布、不透液性のプラスチックフィルムまたは疎水性不織布とプラスチックフィルムとのラミネートシート、好ましくは通気不透液性のシートが使用される。
【００３４】
不織布としては、スパンレース、ニードルパンチ、メルトブローン、サーマルボンド、スパンポンド、ケミカルボンド等の不織布を使用することができる。不織布の構成繊維としては、ポリオレフィン系、ポリエステル系、ポリアミド系、の各繊維、ポリエチレン／ポリプロピレンまたはポリエステルの複合繊維等を使用することができる。
【００３５】
コア５は、フラッフパルプと高吸収性ポリマー粒子との混合物であり、所要の厚みに圧縮されている。止着用弾性部材１０，１４，１５，１６としては、合成ゴムや天然ゴム等の糸状または帯状のエラストマー、または、それらエラストマーを伸長状態で不織布に固着したものを使用することができる。止着用弾性部材１０，１４，１５，１６の取り付けには、ホットメルト接着剤等の接着剤や粘着剤の他に、熱溶着の技術を利用することができる。
【００３６】
止着用弾性部材１０，１４，１５，１６の横方向両端部１０ｂ，１４ｂ，１５ｂ，１６ｂは、裏面シート３とティッシュペーパー４との間に介在することなく、裏面シート３の外面に固着されていてもよい。
【００３７】
止着用弾性部材１０，１４，１５，１６の横方向中央部１０ａ，１４ａ，１５ａ，１６ａは、丸められたおむつ１の外周面を一周以上することができる弾性伸長性を有していてもよい。止着用弾性部材１０，１４，１５，１６が丸められたおむつ１の外周面に二重、三重に巻き付くことでおむつ１の嵩を小さくすることに役立てることができる。
【００３８】
【発明の効果】
本発明に係る使い捨ておむつによれば、掛止部材から少なくとも２条に分かれた止着部材によって、おむつの廃棄時に、丸められたおむつの外周面が囲繞され、おむつの外周面で互いに重なり合うおむつの部位を塞ぐことができる。おむつは、丸められた状態が少なくとも二条の止着部材で保持されるので、丸められた状態が一条の止着部材で保持されることと比較して、丸められたおむつが広がろうとすることを一層拘束することができ、おむつの一部が開いてしまうことによる排泄物や臭気の漏れを防ぐことができる。
【図面の簡単な説明】
【図１】パンツ型使い捨ておむつの部分破断斜視図。
【図２】図１のＡ−Ａ線矢視断面図。
【図３】図１のＢ−Ｂ線矢視断面図。
【図４】廃棄するために丸められた図１のおむつの斜視図。
【図５】図１とは異なる態様のおむつの斜視図。
【図６】廃棄するために丸められた図５のおむつの斜視図。
【図７】図１，５とは異なる態様のおむつの斜視図。
【図８】廃棄するために丸められた図７のおむつの斜視図。
【符号の説明】
１          パンツ型の使い捨ておむつ
１Ａ          前半部分
１Ｂ          後半部分
２          透液性表面シート
３          不透液性裏面シート
５          吸液性コア
６          胴周り開口部
７          脚周り開口部
１０          止着用弾性部材（止着部材）
１０ａ        横方向中央部
１０ｂ        横方向両端部
１１          フック部材（掛止部材）
１４          止着用弾性部材（止着部材）
１４ａ        横方向中央部
１４ｂ        横方向両端部
１５          止着用弾性部材（止着部材）
１５ａ        横方向中央部
１５ｂ        横方向両端部
１６          止着用弾性部材（止着部材）
１６ａ        横方向中央部
１６ｂ        横方向両端部
３０          前胴周り域
３１          股下域
３２          後胴周り域
Ｙ          縦中心線
Ｘ          横中心線
【図１】
0003597736.tif 000002
【図２】
0003597736.tif 000003
【図３】
0003597736.tif 000004
【図４】
0003597736.tif 000005
【図５】
0003597736.tif 000006
【図６】
0003597736.tif 000007
【図７】
0003597736.tif 000008
【図８】
0003597736.tif 000009